(57)【特許請求の範囲】
【請求項１】
建物開口部に設置される枠体と、枠体に対して内倒しもしくは外倒し開閉自在に支持される障子と、枠体を構成する両縦枠の内周面に配置され、閉鎖される障子の両側端に当接して障子を案内する左右のガイド部分を有し、
左右のガイド部分は、障子の閉鎖方向に向かって両者の間隔が狭まる傾斜面と、傾斜面の閉鎖方向側に連続する平行面を有し、平行面の間隔は障子の両側端の間隔と略同一である
ことを特徴とする建具
【発明の詳細な説明】
【技術分野】
【０００１】
建物開口部に設けられ、枠体に対して内倒しもしくは外倒し開閉自在に障子を支持する建具に関する。
【背景技術】
【０００２】
従来、内倒しもしくは外倒し窓においては、枠体に対して障子を回動可能に支持させるために形材蝶番が採用されることがあり、その枠体に気密材が設けられ、窓の閉鎖時に気密材に対して框材の当接面が当接することにより、気密をはかっている。
【先行技術文献】
【特許文献】
【０００３】
【特許文献１】特開２０１０−１３３１７０号公報
【発明の概要】
【発明が解決しようとする課題】
【０００４】
しかしながら、形材蝶番においては、枠体の支持部に対して障子の軸受部を係止しているだけであるので、障子は左右方向に多少移動してしまうことがあり、障子の閉鎖時に障子が左右方向に少しでもずれると枠材に設けた気密材に対して框材が良好に当接することができず、気密性が損なわれる可能性があった。
【０００５】
本発明は、上記の事情を鑑みたものであり、内倒しもしくは外倒し窓において、窓の閉鎖時に、障子が左右方向の的確な位置で閉鎖して、枠体に設けた気密材に対して框材を的確に当接させることを目的とする。
【課題を解決するための手段】
【０００６】
本発明は、建物開口部に設置される枠体と、枠体に対して内倒しもしくは外倒し開閉自在に支持される障子と、枠体を構成する両縦枠の内周面に配置され、閉鎖される障子の両側端に当接して障子を案内する左右のガイド部分を有し、左右のガイド部分は、障子の閉鎖方向に向かって両者の間隔が狭まる傾斜面と、傾斜面の閉鎖方向側に連続する平行面を有し、平行面の間隔は障子の両側端の間隔と略同一であることを特徴とする。
【発明の効果】
【０００７】
本発明によれば、窓の閉鎖時において、障子の左右方向へのずれを防止することができ、障子に対して適当な位置に枠体の気密材を当接することができる。
【図面の簡単な説明】
【０００８】
【図１】本発明の実施形態に係る内倒し窓の縦断面図であり、（ａ）は障子の開放状態における全体縦断面図であり、（ｂ）は同障子の支持軸付近の縦断面図である。
【図２】本発明の実施形態に係る内倒し窓の横断面図である。
【図３】本発明の実施形態に係る内倒し窓に取り付けられる外れ防止部品の図であり、（ａ）は平面図、（ｂ）は室内側から見た正面図、（ｃ）は内周側（（ａ）の左側）から見た側面図である。
【図４】本発明の実施形態に係る内倒し窓に取り付けられる外れ防止部品を説明するための図であり、（ａ）は図３におけるａ−ａ位置における外れ防止部品及び内倒し窓に使用されている状態の縦断面図、（ｂ）は図３におけるｂ−ｂ位置の外れ防止部品及び内倒し窓に使用されている状態の縦断面図、（ｃ）は図３におけるｃ−ｃ位置の外れ防止部品及び内倒し窓に使用されている状態の縦断面図である。
【図５】本発明の実施形態に係る内倒し窓の平面図であり、（ａ）は下枠の右端部の横断面図であり、（ｂ）はその一部の拡大横断面図である。
【発明を実施するための形態】
【０００９】
（建具の全体構成）
本発明の建具を、建物開口部に取り付けられる枠体に対して、障子を内倒し開閉自在に支持する内倒し窓の実施形態を用いて説明する。
本発明の実施形態に係る建具は、図１、２に示すように、建物開口部に配置され上枠１１，下枠１２及び左、右縦枠１３，１４を四周に組んでなる枠体１に対して、上框２１，下框２２及び左右の縦框２３，２４を四周に組んで内周にガラス等パネルを装着してなる障子２を、障子２の下辺を軸にして室内側に開放する内倒し窓として構成されている。
【００１０】
枠体１を構成する上枠１１は、図１に示すように、建物開口部に固定され枠体１の内周面を形成する上枠本体部１１１と、上枠本体部１１１の室外側下面より下方に垂下される室外側垂下壁部１１２と、上枠本体部１１１の室内外方向やや室内寄りから下方に垂下され、その室内側面に気密材ｓ１を保持する気密材取付壁１１３とからなり、上枠本体部１１１の内周面室内側端部には、障子２のラッチ６１と係合して障子２の閉鎖状態を保持するラッチ受け６２が固定されている。
下枠１２は、建物開口部に固定され枠体１の内周面を形成するとともに室外側下方に中空の水切り部を有する下枠本体部１２１と、下枠本体部１２１の室内側に立ち上がる中空構造の立上壁１２２と、立上壁１２２に取り付けられて上方に延びる下枠補助枠１２３とから構成されている。
下枠補助枠１２３は、その上方室内側に障子２を内倒し自在に支持する支持部１２３ａを有するとともに、上方室外側には、室内側面に気密材ｓ１を保持する気密材保持片１２３ｂを有している。
【００１１】
枠体１を構成する左右の縦枠１３、１４は、図２に示すように、略同一形状をなしており、それぞれ建物開口部に固定され枠体１の内周面を形成する左、右縦枠本体部１３１，１４１と、左、右縦枠本体部１３１，１４１の内周面の室外側部位に形成される室外側中空部１３２，１４２と、室外側中空部１３２，１４２から内周方向に延設される左、右外壁部１３３，１４３と、左、右縦枠本体部１３１，１４１の内周面の室内外方向やや室内寄りの部位から内周方向に延設され、室内側面に気密材ｓ１を保持する気密材取付壁１３４，１４４とから構成されている。
【００１２】
障子２を構成する上框２１は、図１に示すように、障子２の上方外周面を形成する中空部の内周側にガラス間口２１ａを有する上框本体部２１１と、上框本体部２１１の外周面の室内側端より上方に延設される上框室内壁部２１２とから構成されており、上框本体部２１１及び上框室内壁部２１２の室内側面には障子２を閉鎖状態に保持するためのラッチ６１を備えたハンドル６が固定されている。
障子２を構成する下框２２は、障子２の下方外周面を形成し、内周側にガラス間口２２ａを構成する室外側壁２２１ａを有する下框本体部２２１と、下框本体部２２１の外周側室外側端より下方に延設される室外側外周壁２２２と、下框本体部２２１の室内側端から下方に設けられる開閉軸受部２２３と、下框本体部２２１の室内側内周面に取り付けられてガラス間口を構成する押縁２２４とから形成されている。
【００１３】
障子２を構成する左右の縦框２３、２４は、図２に示すように、略同一形状をなしており、それぞれ障子２の外周面を形成し、内周側にガラス間口２３ａ，２４ａを構成する室外側間口壁２３１ａ，２４１ａを有する左、右縦框本体部２３１，２４１と、左、右縦框本体部２３１，２４１の室内側端から外周方向に延設される室内側壁２３２，２４２と、左、右縦框本体部２３１，２４１の室内側内周面に取り付けられてガラス間口を構成する押縁２３３，２４３とから構成されている。
そして、図１（ｂ）に示すように、枠体１の下枠１２の支持部１２３ａに対して、障子２の下框２２の開閉軸受部２２３が係止することで、障子２が枠体１に対して内倒し自在に支持され、障子２の上框２１に固定されたハンドル６により障子２の開閉操作を行うことができる。
【００１４】
（内倒し窓の外れ止め部品）
本実施形態にかかる内倒し窓は、枠体１の下枠１２の支持部１２３ａに対して、障子２の下框２２の開閉軸受部２２３を開き側から係止することによって障子２を回動自在に支持しており、図２に示すように、下枠１２の上面の左右両側には、障子２の外れを防止するための外れ止め部品７，７が設置されている。
そして、本実施形態にかかる内倒し窓の外れ止め部品７，７には、障子２の閉鎖時に障子２が左右方向の適切な位置で閉鎖されるようにガイドするガイド部分を備えている。以下、外れ止め部品７について説明する。
【００１５】
本実施形態の内倒し窓に設置される外れ止め部品７を、図３に示す、下枠１２の右側に配置される外れ止め部品７を用いて説明する。
外れ止め部品７は、左右方向に伸びる短尺の部品からなり、内（左）側部分である外れ止め部分７１と、外れ止め部分７１から外（右）側に伸びる延設部分７２と、延設部分７２の外（右）側上面に設けられるガイド部分７３とにより構成されている。
外れ止め部分７１は、図４（ａ）に示すように断面が略矩形状であって、短尺状の部分であり、下枠１２の支持部１２３ａに係止される障子２の開閉軸受部２２３の室内側に配置されることにより、開閉軸受部２２３が室内側に向かって（図１の矢印Ａの方向に向かって）離脱することを不可能にしている。
外れ止め部分７１の上端室外側には、室外側に向かう突条片７１ａ設けられ、開閉軸受部２２３の回動をスムーズに保ちながら、開閉軸受部２２３と外れ止め部分７１との間隔を小さくして、離脱をより不可能にしている。
【００１６】
延設部分７２は、外れ止め部分７１の外周（右）側に連続して形成されており、図４（ｂ）に示すように、室内外方向の幅寸法が大きく形成された延設部分本体７２１と、延設部分本体７２１の室外側から障子２の開閉軸受部２２３に略沿った断面形状を有するカバー部分７２２とからなり、延設部分本体７２１とカバー部分７２２の両者の側面が障子２の開閉軸受部２２３の端面に当接することで移動を阻止して、障子２が外（右）側に大きくずれること防止している。
【００１７】
ガイド部分７３は、図４（ｃ）、図５（ａ）に示すように、延設部分７２の外（右）側端上面に設けられる壁状部として構成され、その内周側の面は障子２の左、右縦框２３，２４の室内側壁２３２，２４２の外周端に対向するガイド面として形成されている。
ガイド面は、図３（ｃ）、図５（ｂ）に示すように、枠体１の左右に配置される外れ止め部品７，７の間で平行に配置される室内側平行面７３１，７３１と、室内側平行面７３１，７３１の室外側に連続し室外側、すなわち障子２の閉鎖方向に向かって対向する両ガイド面の間隔が狭くなる傾斜面７３２，７３２と、傾斜面７３２，７３２の室外側に連続し平行に配置される室外側平行面７３３，７３３とにより構成されている。
【００１８】
そして、外れ止め部品７は、左右の外れ止め部品７，７の室外側平行面７３３，７３３の間隔が障子２の左右幅、即ち障子２の左、右縦框２３，２４の室内側壁２３２，２４２の外周側端部同士の間隔と略同一となるように、外れ止め部分７１及び延設部分７２に形成されたビス孔等を利用して下枠１２の左右両側に載置されるように固定されている。
このとき、図５（ｂ）に示すように、外れ止め部品７のガイド部分７３の外周端部と左、右縦枠１３，１４の内周面との間には間隔ｔが設けられて固定されている。
【００１９】
したがって、本実施形態においては、開放した障子２を閉鎖すると、障子２の左、右縦框２３，２４の室内側壁２３２，２４２の外周端が左右の外れ止め部品７，７の室内側平行面７３１，７３１の間に侵入し、閉鎖動作にしたがって傾斜面７３２，７３２に沿って左右方向の位置調節がなされた後に、室外側平行面７３３，７３３の間に室内側壁２３２，２４２の外周端が収まった状態で閉鎖動作を完了することができる。
これにより、障子２の閉鎖状態において、枠体１に対して障子２が左右方向に位置ずれしたまま閉鎖されることがなく、左、右縦枠１３，１４に設けた気密材ｓ１に対して障子２の室内側壁２３２，２４２の室外側面を的確に当接することができる。
さらに、外れ止め部品７のガイド部分７３の外周端部と左、右縦枠１３，１４の内周面との間に間隔ｔが設けられることにより、ガイド部分７３が外周方向に撓むなど変形することができるので、左、右縦框２３，２４の室内側壁２３２，２４２の外周端が外れ止め部品７のガイド部分７３に当接する際の衝撃を和らげることができ、また、左右の外れ止め部品７，７の室外側平行面７３３，７３３同士の間隔に誤差が生じて、障子２の左右幅以下となったとしても、障子２が室外側平行面７３３，７３３を撓ませて両者の間に挿入されることを可能にしている。
【００２０】
以上のように、本実施形態の内倒し窓においては、枠体に設けられる左右の外れ止め部品の左右外方に、障子の左、右縦框の外周側端部をガイドするガイド部分を形成しているので、障子を閉鎖動作に伴って位置決めすることができ、枠体に配置した気密材に対して的確な位置で対向させて閉鎖することができる。
また、外れ止め部品とガイド部分とを一体に形成しているので、外れ止め部品を所望の位置に強固に取り付けることにより、ガイド部分の位置決め行いながら、強固に取り付けることができる。
さらに、ガイド部分の外周と縦枠内周との間に間隔を設けて取り付けてあるので、ガイド部分を枠体に強固に取り付けた場合であっても、障子の左右幅と左右ガイド部分の間隔との誤差をガイド部分が撓むことによって吸収することができ、ガイド部分の取り付けが容易になる。
【００２１】
なお、本実施形態においては、ガイド部分を障子の外れ止め部品の一部として構成しているが、ガイド部分と外れ止め部分とは必ずしも一体的に形成されるものではなく、ガイド部分を単体で下枠１２等に固定できるように構成することもできる。
【符号の説明】
【００２２】
１        ：枠体
２        ：障子
６        ：ハンドル
７        ：止め部品
１１      ：上枠
１１１    ：上枠本体部
１１２    ：室外側垂下壁部
１１３    ：気密材取付壁
１２      ：下枠
１２１    ：下枠本体部
１２２    ：立上壁
１２３    ：下枠補助枠
１２３ａ  ：支持部
１２３ｂ  ：気密材保持片
１３      ：左縦枠
１３１    ：右縦枠本体部
１３２    ：室外側中空部
１３３    ：右外壁部
１３４    ：気密材取付壁
１４      ：右縦枠
１４１    ：右縦枠本体部
１４２    ：室外側中空部
１４３    ：右外壁部
１４４    ：気密材取付壁
２１      ：上框
２１ａ    ：ガラス間口
２１１    ：上框本体部
２１２    ：上框室内壁部
２２      ：下框
２２ａ    ：ガラス間口
２２１    ：下框本体部
２２１ａ  ：室外側壁
２２２    ：室外側外周壁
２２３    ：開閉軸受部
２２４    ：押縁
２３      ：右縦框
２３ａ    ：ガラス間口
２３１    ：右縦框本体部
２３１ａ  ：室外側間口壁
２３２    ：室内側壁
２３３    ：押縁
２４      ：右縦框
２４ａ    ：ガラス間口
２４１    ：右縦框本体部
２４１ａ  ：室外側間口壁
２４２    ：室内側壁
２４３    ：押縁
６１      ：ラッチ
６２      ：ラッチ受け
７１      ：止め部分
７１ａ    ：突条片
７２      ：延設部分
７３      ：ガイド部分
７２１    ：延設部分本体
７２２    ：カバー部分
７３１    ：室内側平行面
７３２    ：傾斜面
７３３    ：室外側平行面
【図１】
0006588313.tif 000002
【図２】
0006588313.tif 000003
【図３】
0006588313.tif 000004
【図４】
0006588313.tif 000005
【図５】
0006588313.tif 000006